【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
それぞれが複数のタイル領域を有する１以上のサンプルを含むメディアデータに基づいてメディアファイルを生成する生成方法であって、
１つのサンプルに対応する複数のタイル領域から特定される少なくとも１つのタイル領域に対応するメディアデータを有するトラックを生成するトラック生成工程と、
前記トラック生成工程により生成されるトラックを含むメディアファイルを生成するファイル生成工程であって、前記トラック生成工程により生成されるトラックが有するメディアデータのメタデータを記述するための第１ボックスには、前記トラックがタイルトラックであることを示す情報が記述され、且つ、前記第１ボックスには、前記トラックが有するメディアデータのデコードのためにデコーダにより参照されるべき複数の情報のうち、少なくとも１つの情報が記述されず、且つ、前記少なくとも１つの情報が、複数のタイルトラックに共通のパラメータを記述する共通トラック内に位置する第２ボックスに記述されたメディアファイルを生成するファイル生成工程とを有することを特徴とする生成方法。
【請求項２】
それぞれが複数のタイル領域を有する１以上の画像を含むビデオデータに基づいてメディアファイルを生成する生成方法であって、
画像内の複数のタイル領域における少なくとも１つのタイル領域に対応するビデオデータを有するトラックを生成するトラック生成工程と、
前記トラック生成工程により生成されるトラックを含むメディアファイルを生成するファイル生成工程であって、前記トラック生成工程により生成されるトラックが有するビデオデータのメタデータを記述するための第１ボックスには、前記トラックがタイルトラックであることを示す情報が記述され、且つ、前記第１ボックスには、前記トラックが有するビデオデータのデコードのためにデコーダにより参照されるべき複数の情報のうち、少なくとも１つの情報が記述されず、且つ、前記少なくとも１つの情報が、複数のタイルトラックに共通のパラメータを記述する共通トラック内に位置する第２ボックスに記述されたメディアファイルを生成するファイル生成工程とを有することを特徴とする生成方法。
【請求項３】
前記複数のタイル領域のそれぞれは、ＨＥＶＣ（Ｈｉｇｈ  Ｅｆｆｉｃｉｅｎｃｙ  Ｖｉｄｅｏ  Ｃｏｄｉｎｇ）に基づいて符号化されることを特徴とする請求項１又は２に記載の生成方法。
【請求項４】
前記サンプルは画像であり、前記メディアデータはビデオデータであることを特徴とする請求項１に記載の生成方法。
【請求項５】
前記トラックがタイルトラックであることを示す前記情報は、ＨＥＶＣＴｉｌｅＳａｍｐｌｅＥｎｔｒｙ識別子を用いて表されることを特徴とする請求項１乃至４のうち、何れか１項に記載の生成方法。
【請求項６】
前記トラックがタイルトラックであることを示す前記情報は、ｈｖｔ１からなる４文字コードによって表されることを特徴とする請求項１乃至５のうち、何れか１項に記載の生成方法。
【請求項７】
それぞれが複数のタイル領域を有する１以上のサンプルを含むメディアデータに基づいてメディアファイルを生成する生成装置であって、
１つのサンプルに対応する複数のタイル領域から特定される少なくとも１つのタイル領域に対応するメディアデータを有するトラックを生成するトラック生成手段と、
前記トラック生成手段により生成されるトラックを含むメディアファイルを生成するファイル生成手段であって、前記トラック生成手段により生成されるトラックが有するメディアデータのメタデータを記述するための第１ボックスには、前記トラックがタイルトラックであることを示す情報が記述され、且つ、前記第１ボックスには、前記トラックが有するメディアデータのデコードのためにデコーダにより参照されるべき複数の情報のうち、少なくとも１つの情報が記述されず、且つ、前記少なくとも１つの情報が、複数のタイルトラックに共通のパラメータを記述する共通トラック内に位置する第２ボックスに記述されたメディアファイルを生成するファイル生成手段とを有することを特徴とする生成装置。
【請求項８】
それぞれが複数のタイル領域を有する１以上の画像を含むビデオデータに基づいてメディアファイルを生成する生成装置であって、
画像内の複数のタイル領域における少なくとも１つのタイル領域に対応するビデオデータを有するトラックを生成するトラック生成手段と、
前記トラック生成手段により生成されるトラックを含むメディアファイルを生成するファイル生成手段であって、前記トラック生成手段により生成されるトラックが有するビデオデータのメタデータを記述するための第１ボックスには、前記トラックがタイルトラックであることを示す情報が記述され、且つ、前記第１ボックスには、前記トラックが有するビデオデータのデコードのためにデコーダにより参照されるべき複数の情報のうち、少なくとも１つの情報が記述されず、且つ、前記少なくとも１つの情報が、複数のタイルトラックに共通のパラメータを記述する共通トラック内に位置する第２ボックスに記述されたメディアファイルを生成するファイル生成手段とを有することを特徴とする生成装置。
【請求項９】
前記複数のタイル領域のそれぞれは、ＨＥＶＣ（Ｈｉｇｈ  Ｅｆｆｉｃｉｅｎｃｙ  Ｖｉｄｅｏ  Ｃｏｄｉｎｇ）に基づいて符号化されることを特徴とする請求項７又は８に記載の生成装置。
【請求項１０】
前記サンプルは画像であり、前記メディアデータはビデオデータであることを特徴とする請求項７に記載の生成装置。
【請求項１１】
前記トラックがタイルトラックであることを示す前記情報は、ＨＥＶＣＴｉｌｅＳａｍｐｌｅＥｎｔｒｙ識別子を用いて表されることを特徴とする請求項７乃至１０のうち、何れか１項に記載の生成装置。
【請求項１２】
前記トラックがタイルトラックであることを示す前記情報は、ｈｖｔ１からなる４文字コードによって表されることを特徴とする請求項７乃至１１のうち、何れか１項に記載の生成装置。
【請求項１３】
コンピュータを請求項７乃至１２のうち、何れか１項に記載の生成装置の各手段として動作させるためのプログラム。
【手続補正２】
【補正対象書類名】明細書
【補正対象項目名】発明の名称
【補正方法】変更
【補正の内容】
【発明の名称】ファイルの生成方法、ファイルの生成装置、及び、プログラム。
【手続補正３】
【補正対象書類名】明細書
【補正対象項目名】００２０
【補正方法】変更
【補正の内容】
【００２０】
本発明の生成方法は、例えば、以下の構成を有する。すなわち、それぞれが複数のタイル領域を有する１以上のサンプルを含むメディアデータに基づいてメディアファイルを生成する生成方法であって、１つのサンプルに対応する複数のタイル領域から特定される少なくとも１つのタイル領域に対応するメディアデータを有するトラックを生成するトラック生成工程と、前記トラック生成工程により生成されるトラックを含むメディアファイルを生成するファイル生成工程であって、前記トラック生成工程により生成されるトラックが有するメディアデータのメタデータを記述するための第１ボックスには、前記トラックがタイルトラックであることを示す情報が記述され、且つ、前記第１ボックスには、前記トラックが有するメディアデータのデコードのためにデコーダにより参照されるべき複数の情報のうち、少なくとも１つの情報が記述されず、且つ、前記少なくとも１つの情報が、複数のタイルトラックに共通のパラメータを記述する共通トラック内に位置する第２ボックスに記述されたメディアファイルを生成するファイル生成工程とを有する。
本発明の第１の態様によれば、サーバにおいて分割同期型メディアデータをカプセル化するための方法が提供され、前記分割同期型メディアデータは同期型サンプルを含み、各同期型サンプルは、第１の層と、少なくとも１つの第２の層とを含み、前記層のうちの少なくとも１つは、１つ以上のコード化単位によって表現される複数のサブサンプルを含み、前記方法は、
１つの前記同期型サンプルの前記複数のサブサンプルの中から少なくとも１つのサブサンプルを得るステップであって、前記得られるサブサンプルが、前記１つの同期型サンプルの前記サブサンプルのセットのサブセットを形成する、サブサンプルを得るステップと、
前記少なくとも１つの得られるサブサンプルを含む１つのトラックを作成するステップと、
少なくとも１つのメディアセグメントファイルにおいて前記作成されたトラックを独立してカプセル化するステップであって、前記メディアセグメントファイルは、前記同期型サンプルの１つおよびそれが属する前記層に関する、前記少なくとも１つの得られるサブサンプルについての情報を提供するためのマッピングメタデータを含む、カプセル化するステップと
を含む。